(57)【要約】好適な実施形態の一例は、接続する第１セルを決定することと、前記第１セルのキャリアを含むキャリアアグリゲーションに関する、前記ユーザー機器の性能を判定することと、前記判定された性能に基づいて、前記ユーザー機器が前記第１セルの前記キャリアとアグリゲート可能なキャリアの、アイドルモード無線測定を実行することと、前記第１セルとの接続が確立されると、前記アイドルモード無線測定の結果を、前記第１セルのネットワークノードに報告することとを含む。【選択図】図３
2021517789.tif 000002
【特許請求の範囲】
【請求項１】
ユーザー機器の動作方法であって、
接続する第１セルを決定することと、
前記第１セルのキャリアを含むキャリアアグリゲーションに関する、前記ユーザー機器の性能を判定することと、
前記判定された性能に基づいて、前記ユーザー機器が前記第１セルの前記キャリアとアグリゲート可能なキャリアの、アイドルモード無線測定を実行することと、
前記第１セルとの接続が確立されると、前記アイドルモード無線測定の結果を、前記第１セルのネットワークノードに報告することと、
を含む方法。
【請求項２】
前記第１セルの前記ネットワークノードが、前記接続確立時のアイドルモード無線測定報告に対応することを判定することをさらに含む、請求項１に記載の方法。
【請求項３】
前記アイドルモード無線測定の前記報告された結果により、前記第１セルの前記ネットワークノードが接続モード無線測定の実行を要求することなく、前記第１セルの前記ネットワークノードによる前記キャリアアグリゲーションをトリガする、請求項１または２に記載の方法。
【請求項４】
前記第１セルの前記ネットワークノードから、前記ユーザー機器に対して、キャリアアグリゲーションがトリガされることを示す標示の受信を生じさせることをさらに含み、
前記キャリアアグリゲーションは、前記第１セルの前記キャリアを介して、さらに前記アイドルモード無線測定時に測定された前記キャリアの１つ以上を介して、データを受信することを含む、
請求項１から３のいずれかに記載の方法。
【請求項５】
アイドルモードにおいて測定される複数のキャリアを特定し、前記ユーザー機器が前記第１セルの前記キャリアとアグリゲート可能なキャリアと、前記ユーザー機器が前記第１セルの前記キャリアとアグリゲート不能なキャリアとを含む測定標示を受信させることと、
前記判定された性能に基づき、前記ユーザー機器が前記第１セルの前記キャリアとアグリゲート不能なキャリアを測定設定からフィルタリングにより除去することで、前記測定するキャリアを自律的に判定することと、
をさらに含む、請求項１から４のいずれかに記載の方法。
【請求項６】
アイドルモード無線測定を実行することを示す測定標示を受信させることと、
前記ユーザー機器が前記第１セルの前記キャリアとアグリゲート可能なキャリアのみが測定されるように、前記判定された性能に基づいて、測定される前記セルを自律的に判定することと、
をさらに含む、請求項１から４のいずれかに記載の方法。
【請求項７】
前記自律的に判定することは、前記ユーザー機器が過去の所定期間内に利用した少なくとも１つのキャリアアグリゲーション設定の情報を利用することを含む、請求項５または６に記載の方法。
【請求項８】
アイドルモードにおいて測定される複数のキャリアを特定し、前記ユーザー機器が前記第１セルの前記キャリアとアグリゲート可能なキャリアと、前記ユーザー機器が前記第１セルの前記キャリアとアグリゲート不能なキャリアとを含む測定標示を受信させることと、
受信した測定設定に応じて、前記測定を実行することと、
前記ユーザー機器が、所定の測定されたキャリアを、前記第１セルの前記キャリアとアグリゲート可能であるか否かを示す標示を、前記アイドルモード無線測定の前記結果に含めることと、
をさらに含む、請求項１から４のいずれかに記載の方法。
【請求項９】
前記測定標示は、システム情報ブロック内で受信される、請求項１から８のいずれかに記載の方法。
【請求項１０】
前記判定された性能に基づいて、前記ユーザー機器が前記第１セルの前記キャリアとアグリゲート可能なキャリアは、マクロセル以外のセルに関連付けられることが求められる、請求項１から９のいずれかに記載の方法。
【請求項１１】
ネットワークノードの動作方法であって、
前記ネットワークノードによりサービス提供される第１セルへの、ユーザー機器の接続確立を検出することと、
前記接続が確立すると、前記ユーザー機器により実行されたアイドルモード無線測定の結果であって、前記ユーザー機器が前記第１セルのキャリアとアグリゲート可能なキャリアについての無線測定の結果を含む結果を受信させることと、
前記ユーザー機器に対するキャリアアグリゲーション設定に、前記受信した結果を利用することと、
を含む方法。
【請求項１２】
ブロードキャストされた測定標示内で前記測定されるキャリアを特定することなく、前記ネットワークノードが前記接続確立時のアイドルモード無線測定の結果の受信に対応することを示す測定標示をブロードキャストさせることをさらに含む、請求項１１に記載の方法。
【請求項１３】
前記アイドルモードで測定される複数のキャリアを特定する測定標示をブロードキャストさせることをさらに含み、
前記測定標示は、前記ユーザー機器が前記第１セルの前記キャリアとアグリゲート可能なキャリアと、前記ユーザー機器が前記第１セルの前記キャリアとアグリゲート不能なキャリアとを含む、
請求項１１に記載の方法。
【請求項１４】
少なくとも１つのプロセッサと、
コンピュータプログラムコードを含む少なくとも１つのメモリと、を備える装置であって、
前記コンピュータプログラムコードは、前記少なくとも１つのプロセッサに実行されると、ユーザー機器に、
接続する第１セルを決定することと、
前記第１セルのキャリアを含むキャリアアグリゲーションに関する、前記ユーザー機器の性能を判定することと、
前記判定された性能に基づいて、前記ユーザー機器が前記第１セルの前記キャリアとアグリゲート可能なキャリアの、アイドルモード無線測定を実行することと、
前記第１セルとの接続が確立されると、前記アイドルモード無線測定の結果を、前記第１セルのネットワークノードに報告することと、
を遂行させるように構成される、装置。
【請求項１５】
前記コンピュータプログラムコードは、前記少なくとも１つのプロセッサに実行されると、前記ユーザー機器に、前記第１セルの前記ネットワークノードが、前記接続確立時のアイドルモード無線測定報告に対応することを判定することをさらに遂行させるように構成される、請求項１４に記載の装置。
【請求項１６】
前記アイドルモード無線測定の前記報告された結果により、前記第１セルの前記ネットワークノードが接続モード無線測定の実行を要求することなく、前記第１セルの前記ネットワークノードによる前記キャリアアグリゲーションをトリガする、請求項１４または１５に記載の装置
【請求項１７】
前記コンピュータプログラムコードは、前記少なくとも１つのプロセッサに実行されると、前記ユーザー機器に、
前記第１セルの前記ネットワークノードから、前記ユーザー機器に対して、キャリアアグリゲーションがトリガされることを示す標示の受信を生じさせることをさらに遂行させるように構成され、
前記キャリアアグリゲーションは、前記第１セルの前記キャリアを介して、さらに前記アイドルモード無線測定時に測定された前記キャリアの１つ以上を介して、データを受信することを含む、
請求項１４から１６のいずれかに記載の装置。
【請求項１８】
前記コンピュータプログラムコードは、前記少なくとも１つのプロセッサに実行されると、前記ユーザー機器に、
アイドルモードにおいて測定される複数のキャリアを特定し、前記ユーザー機器が前記第１セルの前記キャリアとアグリゲート可能なキャリアと、前記ユーザー機器が前記第１セルの前記キャリアとアグリゲート不能なキャリアとを含む測定標示を受信させることと、
前記判定された性能に基づき、前記ユーザー機器が前記第１セルの前記キャリアとアグリゲート不能なキャリアを測定設定からフィルタリングにより除去することで、前記測定するキャリアを自律的に判定することと、
をさらに遂行させるように構成される、請求項１４から１７のいずれかに記載の装置。
【請求項１９】
前記コンピュータプログラムコードは、前記少なくとも１つのプロセッサに実行されると、前記ユーザー機器に、
アイドルモード無線測定を実行することを示す測定標示を受信させることと、
前記ユーザー機器が前記第１セルの前記キャリアとアグリゲート可能なキャリアのみが測定されるように、前記判定された性能に基づいて、測定される前記セルを自律的に判定することと、
をさらに遂行させるように構成される、請求項１４から１７のいずれかに記載の装置。
【請求項２０】
前記自律的に判定することは、前記ユーザー機器が過去の所定期間内に利用した少なくとも１つのキャリアアグリゲーション設定の情報を利用することを含む、請求項１８または１９に記載の装置。
【請求項２１】
前記コンピュータプログラムコードは、前記少なくとも１つのプロセッサに実行されると、前記ユーザー機器に、
アイドルモードにおいて測定される複数のキャリアを特定し、前記ユーザー機器が前記第１セルの前記キャリアとアグリゲート可能なキャリアと、前記ユーザー機器が前記第１セルの前記キャリアとアグリゲート不能なキャリアとを含む測定標示を受信させることと、
受信した測定設定に応じて、前記測定を実行することと、
前記ユーザー機器が、所定の測定されたキャリアを、前記第１セルの前記キャリアとアグリゲート可能であるか否かを示す標示を、前記アイドルモード無線測定の前記結果に含めること、
をさらに遂行させるように構成される、請求項１４から１７のいずれかに記載の装置。
【請求項２２】
前記測定標示は、システム情報ブロック内で受信される、請求項１４から２１のいずれかに記載の装置。
【請求項２３】
前記判定された性能に基づいて、前記ユーザー機器が前記第１セルの前記キャリアとアグリゲート可能なキャリアは、マクロセル以外のセルに関連付けられることが求められる、請求項１４から２２のいずれかに記載の装置。
【請求項２４】
ユーザー機器であって、ロングタームエボリューション、ロングタームエボリューションアドバンスト、ＮＲ、または５Ｇに従って動作する、請求項１４から２３のいずれかに記載の装置。
【請求項２５】
少なくとも１つのプロセッサと、
コンピュータプログラムコードを含む少なくとも１つのメモリと、を備える装置であって、
前記コンピュータプログラムコードは、前記少なくとも１つのプロセッサに実行されると、ネットワークノードに、
前記ネットワークノードによりサービス提供される第１セルへの、ユーザー機器の接続確立を検出することと、
前記接続が確立すると、前記ユーザー機器により実行されたアイドルモード無線測定の結果であって、前記ユーザー機器が前記第１セルのキャリアとアグリゲート可能なキャリアについての無線測定の結果を含む結果を受信させることと、
前記ユーザー機器に対するキャリアアグリゲーション設定に、前記受信した結果を利用することと、
を遂行させるように構成される、装置。
【請求項２６】
前記コンピュータプログラムコードは、前記少なくとも１つのプロセッサに実行されると、前記ネットワークノードにさらに、ブロードキャストされた測定標示内で前記測定されるキャリアを特定することなく、前記ネットワークノードが前記接続確立時のアイドルモード無線測定の結果の受信に対応することを示す測定標示をブロードキャストさせることを遂行させるように構成される、請求項２５に記載の装置。
【請求項２７】
前記コンピュータプログラムコードは、前記少なくとも１つのプロセッサに実行されると、前記ネットワークノードに、前記アイドルモードで測定される複数のキャリアを特定する測定標示をブロードキャストさせることを遂行させるようにさらに構成され、
前記測定標示は、前記ユーザー機器が前記第１セルの前記キャリアとアグリゲート可能なキャリアと、前記ユーザー機器が前記第１セルの前記キャリアとアグリゲート不能なキャリアとを含む、
請求項２５に記載の装置。
【請求項２８】
装置のプロセッサに実行されると、前記装置に、請求項１から１０または１１から１３のいずれかに記載の方法を実行するプログラム命令を備える、コンピュータプログラム。
【請求項２９】
接続する第１セルを決定する手段と、
前記第１セルのキャリアを含むキャリアアグリゲーションに関する、前記ユーザー機器の性能を判定する手段と、
前記判定された性能に基づいて、前記ユーザー機器が前記第１セルの前記キャリアとアグリゲート可能なキャリアの、アイドルモード無線測定を実行する手段と、
前記第１セルとの接続が確立されると、前記アイドルモード無線測定の結果を、前記第１セルのネットワークノードに報告する手段と、
を備える、装置。
【請求項３０】
自身がサービスを提供する第１セルへの、ユーザー機器の接続確立を検出する手段と、
前記接続が確立すると、前記ユーザー機器により実行されたアイドルモード無線測定の結果であって、前記ユーザー機器が前記第１セルのキャリアとアグリゲート可能なキャリアについての無線測定の結果を含む結果を受信する手段と、
前記ユーザー機器に対するキャリアアグリゲーション設定に、前記受信した結果を利用する手段と、
を備える、装置。
【発明の詳細な説明】
【技術分野】
【０００１】
各種例示的実施形態は概して、アイドルモード無線測定に関する。
【背景】
【０００２】
ユーザー機器は、周辺環境のアイドルモード無線測定を実施し得る。この無線測定の結果はネットワークに提供され得るが、この測定処理に改良が必要である。
【簡単な説明】
【０００３】
いくつかの態様によると、独立請求項に記載の技術思想が提供される。別の一部の態様が、従属請求項に定義される。
【図面の簡単な説明】
【０００４】
以下に、実施形態と、下記添付図を参照して、本発明をより詳細に説明する。
【図１Ａ】一部の実施形態に係る通信ネットワークを示す。
【図１Ｂ】一部の実施形態に係る通信ネットワークを示す。
【図２】複数のセルのカバレッジエリア内にユーザー機器がある状態を示す。
【図３】一部の実施形態に係る方法を示す。
【図４】一部の実施形態に係る方法を示す。
【図５】一部の実施形態に係る、どのキャリアを測定および報告するかを判定するいくつかの例を示す。の実施形態に係る；
【図６】一部の実施形態に係る、どのキャリアを測定および報告するかを判定するいくつかの例を示す。
【図７】実施形態に係るフローチャートを示す。
【図８】一部の実施形態に係る装置を示す。
【図９】一部の実施形態に係る装置を示す。
【実施形態の説明】
【０００５】
以下の実施形態は例示的なものである。本明細書ではいくつかの箇所で「ある」、「１つの」または「一部の」実施形態（単数または複数）に言及し得るが、このことは必ずしも、そのような言及の各々が同じ実施形態（単数または複数）を指すこと、あるいは特定の特徴が単独の実施形態のみに当てはまることを意味するものではない。異なる実施形態の単独の特徴を組み合わせて、別の実施形態を提供することもできる。
【０００６】
記載される実施形態は、以下の無線アクセス技術（Radio Access Technology：ＲＡＴ）のうちの少なくとも１つを含むもの等の無線システムに実装されてもよい。ＲＡＴとしては、ＷｉＭＡＸ（Worldwide Interoperability for Micro-wave Access）、ＧＳＭ（Global System for Mobile Communications）（２Ｇ）、ＧＳＭ  ＥＤＧＥ無線アクセスネットワーク（GSM EDGE Radio Access Network：ＧＥＲＡＮ）、汎用パケット無線サービス（General Packet Radio Service：ＧＰＲＳ）、基本的な広帯域符号分割多元接続（Wideband-Code Division Multiple Access：Ｗ−ＣＤＭＡ）に基づくユニバーサル移動体通信システム（Universal Mobile Telecommunication System：ＵＭＴＳ）（３Ｇ）、高速パケットアクセス（High-Speed Packet Access：ＨＳＰＡ）、ロングタームエボリューション（Long Term Evolution：ＬＴＥ）、ＬＴＥアドバンスト（LTE-Advanced）、およびＬＴＥの改良版（enhanced LTE：ｅＬＴＥ）が挙げられる。「ｅＬＴＥ」という用語は、５Ｇコアに接続するＬＴＥの進化型であることを示している。ＬＴＥは、進化型ＵＭＴＳ地上無線アクセス（evolved UMTS Terrestrial Radio Access：ＥＵＴＲＡ）や進化型ＵＭＴＳ地上無線アクセスネットワーク（evolved UMTS Terrestrial Radio Access Network（ＥＵＴＲＡＮ））とも知られている。
【０００７】
ただし、実施形態は一例として挙げられたシステムやＲＡＴに限定されるものではなく、当業者であれば、必要な特性を備える他の通信システムにもソリューションを適用し得ることを理解するであろう。好適な通信システムの一例として、５Ｇシステムが挙げられる。５Ｇに対する３ＧＰＰのソリューションは、新無線（New Radio：ＮＲ）と呼ばれる。５Ｇは、マルチ入力マルチ出力（Multiple-Input-Multiple-Output：ＭＩＭＯ）マルチアンテナ伝送技術を使用し、ＬＴＥの現行のネットワーク展開よりも多くの基地局やノード（より小さいローカルエリアアクセスノードと協働して動作し、カバレッジの改善およびデータ転送速度の向上のための各種無線技術も採用し得るマクロサイトも含む）を使用（「スモールセル」の概念）すべく構想されている。５Ｇは、２つ以上の無線アクセス技術（ＲＡＴ）／無線アクセスネットワーク（ＲＡＮ）からなる可能性が高く、そのそれぞれが特定の使用例および／またはスペクトルについて最適化される。５Ｇ移動体通信は、より広範囲な使用例や、ビデオストリーミング、拡張現実、各種データ共有、各種マシン型アプリケーション（車両安全用、個別のセンサー、およびリアルタイム制御を含む）等の関連する用途を網羅し得る。５Ｇは、複数の無線インターフェース（すなわち、６ＧＨｚ未満と、ｃｍＷａｖｅおよびｍｍＷａｖｅの周波数帯）を有し、ＬＴＥ等の既存のレガシー無線アクセス技術と統合可能であるものと期待されている。
【０００８】
実施形態はさらに、セルラー通信帯域を使用して接続される広範囲なデバイスおよびサービスを実現し得る狭帯域（Narrow Band：ＮＢ）ＩｏＴ（Internet-of-things）システムに適用可能である。ＮＢ−ＩｏＴは、ＩｏＴ用に設計された狭帯域無線技術であり、第三世代パートナーシッププロジェクト（3rd Generation Partnership Project：３ＧＰＰ）によって規格化されている技術の一つである。実施形態の実施に好適なその他の３ＧＰＰ  ＩｏＴ技術としては、マシンタイプ通信（Machine Type Communication：ＭＴＣ）およびｅＭＴＣ（enhanced Machine-Type Communication）が挙げられる。ＮＢ−ＩｏＴは、低コスト、長バッテリ寿命、接続デバイスの増加の実現に特に注力している。ＮＢ−ＩｏＴ技術は、ＬＴＥに割り当てられたスペクトル内で（通常のＬＴＥキャリア内のリソースブロックを使用して、もしくはＬＴＥキャリアの保護周波数帯内の使用されていないリソースブロック内で）「帯域内に」展開されているか、または専用のスペクトル内で「スタンドアローンに」展開されている。
【０００９】
図１Ａは、本発明の実施形態が適用され得る、通信システムの例を示す。システムは、セル１００を提供する制御ノード１１０を備えてもよい。各セルは、例えば、マクロセル、ミクロセル、フェムトセル、またはピコセルであり得る。別の見方をすると、セルは制御ノード１１０のカバレッジエリアまたはサービスエリアを定め得る。制御ノード１１０は、ＬＴＥおよびＬＴＥ−Ａの発展型ノードＢ（evolved Node B：ｅＮＢ）、ｅＬＴＥのｎｇ−ｅＮＢ、５ＧのｇＮＢ、またはセル内で無線通信の制御および無線リソースの管理を実行可能なその他任意の装置であってもよい。５Ｇソリューションの場合、実装はＬＴＥ−Ａと同様であるか、例えば仮想ネットワークを適用し得る。制御ノード１１０は、基地局、ネットワークノード、またはアクセスノードと称され得る。
【００１０】
このシステムは、それぞれ対応する１または複数のセルを制御する複数のアクセスノードの無線アクセスネットワークから形成されるセルラー通信システムであってもよい。制御ノード１１０は、ユーザー機器（ＵＥ）１２０（１つ以上のＵＥ）に、インターネット等その他ネットワークへの無線アクセスを提供し得る。したがって、制御ノード１１０はアクセスノードとも称され得る。無線アクセスは、制御ノード１１０からＵＥ１２０へのダウンリンク（ＤＬ）通信と、ＵＥ１２０から制御ノード１１０へのアップリンク（ＵＬ）通信とを含んでもよい。さらに、１つ以上のローカルエリアアクセスノードが、マクロセルアクセスノードの制御エリア内に配置されてもよい。ローカルエリアアクセスノードは、マクロセルに含まれ得るサブセル内で、無線アクセスを提供し得る。サブセルの例としては、ミクロセル、ピコセル、および／またはフェムトセルが挙げられ得る。一般的に、サブセルは、マクロセル内でホットスポットを提供する。ローカルエリアアクセスノードの動作は、サブセルが提供される制御エリアを有するアクセスノードにより制御され得る。
【００１１】
通信ネットワーク内に複数のアクセスノードが存在する場合、アクセスノード間が、インターフェースにより接続され得る。ＬＴＥ仕様書では、当該インターフェースをＸ２インターフェースと称する。ＩＥＥＥ  ８０２．１１ネットワーク（すなわち、無線ローカルエリアネットワーク（ＷＬＡＮ）、ＷｉＦｉ）では、同様のインターフェースＸｗがアクセスポイント間に提供され得る。ｅＬＴＥアクセスポイントと、５Ｇアクセスポイントとの間のインターフェースは、Ｘｎと称され得る。アクセスノード間のその他の通信方法もあり得る。アクセスノード１１０はさらに、セルラー通信システムのコアネットワークに、別のインターフェースを介して接続され得る。ＬＴＥ仕様書は、コアネットワークを進化型パケットコア（Evolved Packet Core：ＥＰＣ）としており、このコアネットワークは、モビリティ管理エンティティ（Mobility Management Entity：ＭＭＥ）と、ゲートウェイノードとを含み得る。ＭＭＥは、複数のセルを含む追跡エリア内での端末デバイスの移動性と、端末デバイスとコアネットワークとの間のシグナリング接続を扱い得る。ゲートウェイノードは、コアネットワーク内と、端末デバイスへ／からのデータ伝送を扱い得る。５Ｇ仕様書は、コアネットワークを５Ｇコア（５ＧＣ）としており、このコアネットワークは、アドバンストモビリティ管理エンティティ（Advanced Mobility Management Entity：ＡＭＦ）と、ゲートウェイノードとを含み得る。ＡＭＦは、複数のセルを含む追跡エリア内での端末デバイスの移動性と、端末デバイスとコアネットワークとの間のシグナリング接続を扱い得る。ゲートウェイノードは、コアネットワーク内と、端末デバイスへ／からのデータ伝送を扱い得る。
【００１２】
５Ｇネットワークでは、アーキテクチャが、「ＣＵ−ＤＵ（集約ユニット−分散ユニット）分割」に基づき得ると考えられている。ここで、図１Ｂに示すように、１つのｇＮＢ−ＣＵがいくつかのｇＮＢ−ＤＵを制御する。用語「ｇＮＢ」は、５Ｇにおける、ＬＴＥのｅＮＢに相当し得る。（１つ以上の）ｇＮＢは、１つ以上のＵＥ１２０と通信し得る。図１Ｂに示すように、ｇＮＢ−ＣＵ（集約ユニット）は、少なくとも送信／受信（Ｔｘ／Ｒｘ）ノードとして機能する、複数の空間的に離間したｇＮＢ−ＤＵを制御し得る。一方、一部の実施形態では、ｇＮＢ−ＤＵ（ＤＵとも称する）は、例えば、無線リンク制御（ＲＬＣ）層、媒体アクセス制御（ＭＡＣ）層、および物理（ＰＨＹ）層を備え、ｇＮＢ−ＣＵ（ＣＵとも称する）は、パケットデータ収束プロトコル（Packet Data Convergence Protocol：ＰＤＣＰ）層、無線リソース制御（Radio Resource Control：ＲＲＣ）層、およびインターネットプロトコル（Internet Protocol：ＩＰ）層等のＲＬＣ層より上位の層を備えてもよい。その他の機能的分割もまた可能である。当業者はＯＳＩモデルと、各層の機能に精通していると考えられる。その他使用されると考えられる革新技術の非限定的な例をいくつか挙げるとすれば、ソフトウェア定義ネットワーキング（Software-Defined Networking：ＳＤＮ）、ビッグデータ、オールＩＰ化がある。例えば、固定ネットワークにおけるＳＤＮとネットワーク機能仮想化（Network Functions Virtualization：ＮＦＶ）の元となる原理と同じ原理を利用した、仮想ネットワークアーキテクチャの一形態として、ネットワークスライシングが挙げられる。ＳＤＮおよびＮＦＶは、従来のネットワークアーキテクチャを、（同様にソフトウェアにより）リンク可能な仮想要素に区画可能にすることで、ネットワーク柔軟性を向上し得る。ネットワークスライシングは、共通の共有物理インフラ上に、複数の仮想ネットワークを生成可能にする。この仮想ネットワークは、用途、サービス、デバイス、顧客、またはオペレータの特定の需要に見合うように、カスタマイズされる。
【００１３】
図１Ｂに示す例のＣＵおよび１つ以上のＤＵをそれぞれ備える複数のｇＮＢ（アクセスポイント／ノード）は、Ｘｎインターフェースを介して互いに接続され、ｇＮＢはこのインターフェースを介してネゴシエートし得る。ｇＮＢはさらに、５Ｇにおける、ＬＴＥのコアネットワークに相当し得る、５Ｇコアネットワーク（５ＧＣ）１６０に対して、ＮＧ（Next Generation）インターフェースを介して接続され得る。
【００１４】
このような５ＧのＣＵ−ＤＵ分割アーキテクチャは、上位層を持つＣＵがクラウド内に位置し、ＤＵが実際の無線およびアンテナユニットの近くにあるか、それらを含むように、クラウド／サーバーを使用して実施され得る。ＬＴＥ／ＬＴＥ−Ａ／ｅＬＴＥについても同様な計画が進んでいる。ｅＬＴＥと５Ｇが、同じクラウドハードウェア（ＨＷ）における同様のアーキテクチャを使用する場合、無線アクセスネットワーク／技術（ＲＡＮ／ＲＡＴ）の両方を、単一の共通ソフトウェア（ＳＷ）が制御するように、ＳＷを組み合わせることが次のステップとなる。これにより、両ＲＡＮについて、無線リソースを制御する新たな方法が可能となり得る。さらに、プロトコルスタック全体が、ＣＵと同じＨＷで制御され、同じ無線ユニットで処理される構成があり得る。ｅＬＴＥ／ＥＵＴＲＡＮについて、同様の手法が検討されている。すなわち、ｅＮＢまたはｎｇ−ｅＮＢ（次世代ｅＮＢ、すなわち、５ＧＣに接続されるｅＮＢ）は、集約および分散ユニットを含み得る（５Ｇについての図１Ｂに示すもの同様）。
【００１５】
３ＧＰＰは、キャリアアグリゲーション（ｅｕＣＡ）の利用性向上に取り組んでいる。その目的の一つは、セカンダリセル（ＳＣｅｌｌ）の利用率を上げて、ＣＡのレイテンシを低減することで、ＬＴＥおけるＣＡの向上を図ることである。検討中の解決法の１つは、ＵＥがアイドルモードから接続モードに移行する際の、ＣＡ設定時間を短縮することを目的とする。これは、アイドルモードにおいて実行されるセルの測定報告を迅速にすることで実現される。これによりネットワークは、報告済みセルに基づいて、現状よりも迅速にＳＣｅｌｌを設定可能となる（どのセル（複数可）が適切となるかを示す、ＵＥ測定報告なしで設定が行われる場合はこの限りではない）。
【００１６】
以下の説明は、方法が実施可能となる１つの手法の非限定的例を説明するため、ＬＴＥと、キャリアアグリゲーションの利用性向上（enhancing utilization of Carrier Aggregation：ｅｕＣＡ）を取り上げる。これは例示的な場合と捉えられたい。さらに、キャリアアグリゲーション（ＣＡ）の例示的な場合を例とするが、同様の方法は、デュアルコネクティビティ（ＤＣ）またはマルチコネクティビティ（ＭＣ）型通信等にも適用可能である。
【００１７】
次に図２を参照する。ここでは、アイドルモードＵＥ（例えばＵＥ１２０）が、４つのセル１００から１０３（単一のアクセスノード１２０、または複数の同位置もしくは非同位置アクセスポイントにより生成され得る）のカバレッジエリア内にある。このような場合、ＵＥは複数のキャリアを受信し、キャリアアグリゲーションを利用し得る。図２では各セルは同じサイズとして示されているが、サイズはセル間で異なり得る。例えばセル１００がマクロセルで、その他がより高データレートに対応する、より小さいセルであってもよい。典型的には、ＵＥがまずサービングセル（例えばセル１００）に接続するように、キャリアアグリゲーションが行われ得る。その後、セル１００の制御ノード１１０は、ＵＥ１２０に無線測定を行うように要求し得る。これら測定値としては、例えば、基準信号受信電力（Reference Signal Received Power：ＲＳＲＰ）測定値、またはＵＥの、セル１００から１０４等の周辺セルからの信号受信品質（受信する場合）を示す任意のその他測定値が挙げられる。したがって、ＵＥは要求された測定を実行し、ネットワークに測定結果を返し得る。受信した測定結果に基づき、ネットワークはＵＥにキャリアアグリゲーションを設定し得る。これにより、サービングセル１００のキャリアとともに１つ以上のキャリアが、ＵＥ１２０にデータを搬送する。１つ以上のキャリアは、セル１０１から１０３の１つ以上から等、その他のセルから生成され得る。
【００１８】
キャリアアグリゲーションが設定しやすくなるように、接続確立の時点で既に、ＵＥがアイドルモードで実行していた測定の結果を、サービングセル１００の制御ノード１１０に送り得ることが提案されている。これら測定に基づき、制御ノード１１０は、その他セル／キャリアのうち、ＵＥが受信可能なものを把握し得る。その後、把握した内容に基づいて、セル１００の制御ノード１１０は、ＵＥに対してキャリアアグリゲーションをトリガするか判定する。したがって、キャリア設定が早く完了する。
【００１９】
１つの問題として、このようなアイドルモードでＵＥにより実施される追加の測定は、アイドルモードのＵＥの電力消費に悪影響を及ぼし得る点が挙げられる。しかし、ＣＡが迅速に設定できれば、ＵＥが接続モードとなる時間が低減される。これは通常、スモールセルでのユーザーデータレートは、マクロセルよりも高くなるためであり得る。このことが総ＵＥ電力消費の低減に寄与し得る。しかし、この仮定は、アイドルモード測定が所要の目的に合わせて最適化された場合にのみ成立する。
【００２０】
特に測定がシステム情報ブロック（例えばＳＩＢ５）によりトリガされる場合、アイドルモードでどのキャリアおよびセルが測定されるかは、現状、特に定義されていない。例えば、ＵＥにＳＩＢを介して、アイドルモード中に最大３つの周波数間キャリアを測定するように要求できるようにすることが提案されている。これは、再選択に必要な測定に対する現状の要件と同様である。これは、アイドルモード測定最適化の問題を効率よく解決するものではない。
【００２１】
したがって、より効率的にＵＥ測定負荷を最低限に抑え、適切なキャリアおよびセルを測定対象にするための手法が求められている。これは、ＵＥの電力消費に有効な効果が得られるという仮定が、測定が時間的に限定され、適切なキャリアの適切なセルを対象にしている場合にのみ成立するためである。問題に対する１つの提案として、ＵＥの性能を把握しているネットワークが、ＵＥに関連するセル／キャリアにのみ測定を行うように命令することが挙げられる。しかし、ＵＥがアイドルモードであれば、ネットワークはそのような命令を行わない、さらに／あるいはＵＥの性能を把握していない可能性がある。
【００２２】
一例示的実施形態において、上述の問題を少なくとも一部解決するため、ＵＥ（ＵＥ１２０等）が、アクセス中のサービングセルとＵＥがアグリゲート可能とするキャリアについて、早めの報告を行うためのみに測定を実行することが提案されている。このようにして、アイドルモードにおいて無線測定に必要な時間が短縮される。あるいは、例えばＵＥが交互にキャリア間で測定を行っている場合、ＵＥはアグリゲート可能なキャリアをより頻繁に測定し得る（これにより、ＵＥがサービングセルとアグリゲート可能な当該キャリアに対する測定がより精確になり得る）。さらに、測定結果送信に関するシグナリングオーバヘッドが低減される。さらに、ネットワークに対して関連するセル／キャリアのみが報告されるため、ネットワークで測定結果処理にかかる処理時間が短縮される。
【００２３】
図３は例示的方法を示す。この方法は、ＵＥ１２０等のユーザー機器により実施され得る。ステップ３００において、ＵＥが接続する第１セルを決定し得る。第１セルは、ＵＥ１２０のセル１００等の、ＵＥのサービングセルであり得る。キャリアアグリゲーションにおいて、第１セル１００はプライマリセル（ＰＣｅｌｌ）であり得る。セル検出は、検出されるセルのネットワークノード（例えばセル１００のｅＮＢ１１０）により送信される同期信号（プライマリ同期信号（ＰＳＳ）および／またはセカンダリ同期信号（ＳＳＳ）等）に基づき得る。例えば、これら（およびセルの物理セルＩＤ（Physical Cell Identity：ＰＣＩ））に基づき、ＵＥはどこのＲＳＲＰを測定するか判定し得る。ＵＥは第１セルを、ＰＳＳ／ＳＳＳに設けられた１つ以上のセル識別子（例えばＰＣＩ）に基づいて識別し得る。ＵＥは、優先順位を付けて、ＵＥが接続すると決定する、多く存在し得る検出セルのいずれかを考慮し得る。ここで、ＵＥが、第１セル１００に接続すると決定したとする。したがって、セル１００は以下で、ＵＥのサービングセルまたはサービングセル候補と称され得る。
【００２４】
ステップ３０２において、ＵＥは、第１セルのキャリアを含むキャリアアグリゲーション（ＣＡ）に関するＵＥの性能を判定し得る。すなわち、ＵＥは、第１セルのキャリアとＵＥがアグリゲートできるキャリアを判定し得る。例えば、ＵＥはＣＡモードにおける全てではなく、特定のキャリアに対応し得る。例えば、ＵＥは単一キャリアモードにおけるキャリア／帯域／セル１００、１０１、１０２および１０３に対応するが、帯域１００＋１０２または帯域１００＋１０１上でのみキャリアアグリゲーションを可能とし得る。したがって、キャリアアグリゲーションに関する性能、すなわち、どのセル／キャリアにどのセル／キャリアがアグリゲート可能かを把握することが有利となり得る。上述のように、ネットワークはＵＥがアイドルモードの場合は、ＵＥの性能を把握していない場合があり得る。ＵＥによる判定は、ＵＥに特定のＣＡ性能を示す情報が設定され、ＵＥがメモリからそのような情報を取得することを含む。例えば、ＵＥは、ＵＥの物理的実装に基づいて、特定の帯域（複数可）上での特定のキャリアの組合せに対応する特定の性能のみを有し得る。ＵＥのＣＡ性能は、例えば高周波（ＲＦ）フロントエンド、フィルタ、Ａ／Ｄ変換（ＡＤＣ）、処理能力等に関する、ＵＥの実装により限定／影響され得る。さらに、ＵＥのソフトウェアが、ＣＡ性能を制限し得る。
【００２５】
ステップ３０４において、ＵＥは判定された性能に基づいて、ユーザー機器が第１セルのキャリアとアグリゲート可能となるキャリアについて、アイドルモード無線測定を実行する。例えば、ＵＥは、ネットワーク設定から、ＣＡに対応不能となる帯域を「フィルタリング」して除去する。これにより、測定負荷と、測定報告のシグナリングサイズが低減される。これについて、図５を参照に後述する。
【００２６】
一部の実施形態において、ＵＥは判定された性能に基づいて、ユーザー機器が第１セルのキャリアとアグリゲート可能となるキャリアのみを測定する（すなわち、第１セルとの有効なＣＡの組合せのみを測定する）。これらキャリアをＣＡキャリア候補のセットと称する。これらキャリアは、キャリアアグリゲーション用のＳＣｅｌｌ候補を有し得る。別の一部の実施形態では、ＵＥはＣＡキャリア候補のセットを測定し、後述するようにさらにその他いくつかのキャリアも測定し得る。この測定は、例えば、ＲＳＲＰまたは基準信号受信品質（Reference Signal Received Quality：ＲＳＲＱ）測定を含み得る。
【００２７】
そのようなアイドルモード無線測定を実行するかの判定は、ネットワークから（例えば制御ノード１１０から）受信した測定標示または設定に基づいてもよい。実施形態において、測定標示は専用シグナリングであり得る。実施形態において、測定標示は、ブロードキャストシグナリングであり得る。実施形態において、測定標示は、ＳＩＢ５等の、システム情報ブロック（ＳＩＢ）で伝送され得る。実施形態において、測定標示は、測定されるキャリアを特定する測定設定を含み得る。実施形態において、測定標示はキャリアを特定するものではなく、検出可能セルに対してアイドルモード無線測定を実行する一般的標示である。実施形態において、測定標示は、システム情報ブロックにおいて受信され得る。実施形態において、測定標示は、ＵＥが接続モードからアイドルモードに遷移する際に受信され得る。すなわち、ＵＥが接続モードから解放されると、ネットワークはＵＥに、アイドルモードで測定するための複数のキャリアを設定し得る。この目的は、ＵＥが今後の任意の接続設定のため、早期にセルに報告を行うことである。このような、アイドルモードで何を測定するかの測定設定は、例えばＲＲＣＣｏｎｎｅｎｃｔｉｏｎＲｅｌｅａｓｅメッセージにおける専用シグナリングで、ＵＥに送られ得る。ＵＥがアイドルモードでセルから離間すると、ＵＥはアイドルモードにおけるセル再選択後のシステム情報ブロードキャストから新たな設定を取得し得る。実施形態において、測定標示および上述のアイドルモード無線測定は、ドライブテストの最小化（Minimization of Drive Test：ＭＤＴ）測定およびシグナリングに関連しない。
【００２８】
いくつかの例示的実施形態において、ＵＥは情報（ＳＩＢ５情報（一般的ブロードキャスト情報）または専用に設定される）に応じて測定を行い、測定報告を行う。報告は、指示された任意の測定値を含むが、ＵＥはさらに測定報告おいて、ＵＥの性能を考慮して、報告されたセルが「アグリゲート可能」か、すなわち現在のサービングセルにアグリゲート可能かを示す。
【００２９】
一例において、ネットワークは、ＵＥに対する有効ＣＡの組合せであると把握している周波数層のみを設定する。ＵＥは、例えば早期ＣＡ設定を可能にするため、接続設定段階で、設定されたキャリアを測定し、任意の結果を報告する。
【００３０】
別の例では、ＵＥは、現在のサービングセルがＰＣｅｌｌであると仮定し、ＵＥに対する有効ＣＡ組合せの一部である設定キャリアのみを測定する。ＵＥは、測定報告の送信先となるセルに対して有効ＣＡの組合せを形成するセルを測定および／または報告することのみを求められ得る。
【００３１】
別の例示的実施形態において、サービングセルキャリアに加え、または代えて、ＵＥに１つ以上の別のサービングセルキャリア候補が示される。その後ＵＥは、設定されたサービングセルキャリア候補の少なくとも１つと、有効ＣＡ組合せを形成するＳＣｅｌｌキャリア候補（アイドルモード）を測定および／または報告する。
【００３２】
ステップ３０６において、ＵＥは、第１セルとの接続が確立されると、アイドルモード無線測定の結果を第１セルのネットワークノードに報告し得る。第１セルのネットワークノードは、例えば制御ノード１１０であり得る。したがって結果は、（少なくとも）キャリアアグリゲーションのためにＵＥが利用可能なセルから、信号レベルおよび／または信号品質の標示を含み得る。この結果は例えば、（例えば、ＲＲＣＣｏｎｎｅｃｔｉｏｎＳｅｔｕｐＣｏｍｐｌｅｔｅメッセージにおいて）接続設定段階中またはその後に示され得る。一実施形態において、ＵＥは、アイドルモード測定を報告するように、ネットワークにより（例えばｅＮＢ１１０により）ポーリングされ得る。
【００３３】
実施形態において、測定対象キャリア（すなわち、ＣＡキャリア候補のセットに含まれるキャリア）は、ミクロまたはフェムトセル等のスモールセル（例えばホットスポットカバレッジを提供するセル）に関連付けられることが求められる。実施形態において、測定対象キャリア（すなわち、ＣＡキャリア候補のセットに含まれるキャリア）は、非マクロセルに関連付けられることが求められる。すなわち、マクロセルキャリアは、測定され、接続確立時にサービングセルに報告されるキャリアのリストから除外され得る。ただし、サービングセル１００はマクロセルであってもよく、アイドルモードでのセル再選択または早期報告の一部のいずれかで測定され得る。実施形態において、測定対象キャリア（すなわち、ＣＡキャリア候補のセットに含まれるキャリア）は、セカンダリセル候補に関連付けられることが求められる。
【００３４】
一実施形態において、ＵＥは、ｅＮＢ１１０が接続確立時のアイドルモード無線測定報告に対応すると判定し得る。そのような早期測定報告は、セルのカバレッジエリア内のＵＥにより受信可能なブロードキャスト内のサービングセル候補による測定標示内で示され得る。すなわち、ＵＥは、ブロードキャスト内の、ＵＥアイドルモード無線測定に基づく早期測定報告を、サービングセル（例えばセル１００）が利用していることを示す標示に基づいて、セルが早期報告に対応するか判定し得る。
【００３５】
一実施形態において、ＵＥ１２０により早期報告は、ＵＥの早期ＣＡ設定に寄与し得る。したがって、アイドルモード無線測定の報告された結果は、接続確立後にｅＮＢ１１０が接続モード無線測定を要求することなく、ｅＮＢ１１０によるキャリアアグリゲーションをトリガし得る。ただし、早期報告は、別の目的にも使用され得る。
【００３６】
一例において、ＵＥはブロードキャスト情報において、測定対象キャリアを受信する。この情報はブロードキャストされ、包括的にＵＥを網羅する必要があるため、ＵＥに、サービングセルがＵＥアイドルモード測定に基づく早期測定報告を利用しているということを、ブロードキャスト情報において包括的に示され得る。この報告は、一例において早期ＣＡ設定に寄与し得るが、その他の目的にも使用され得る。例えば、このような早期測定は、ハンドオーバーの必要性（例えば、ＵＥが「現在」接続中のサービングセルよりも、別の層についてよりよいＲＳＲＰを報告した場合）を評価するのにも使用され得る。そのような場合、ネットワークは即座にＵＥの接続を別の層にハンドオーバーし得る。
【００３７】
早期報告がＣＡ設定をしやすくするような実施形態では、ＵＥはその後、接続確立後に、ｅＮＢ１１０からＵＥに対してトリガされるＣＡを示す標示を受信し得る。このＣＡは、第１セルのキャリアと、アイドルモード無線測定時に測定された１つ以上のキャリアを介して、データを受信（および／または送信）することを含む。ＣＡ設定がしやすくなるのは、ネットワークが、隣接セルのさらなる接続モード測定、さらに／あるいは第１セルの接続に関するＵＥのＣＡ性能に対する測定を要求することなく、接続確立時にアグリゲート可能キャリアについて把握するためであり得る。
【００３８】
ネットワークノード（ｅＮＢ／ｇＮＢ１１０等）の観点から、図４のステップを少なくとも含むことが提案され得る。すなわち、ステップ４００において、ノード１１０は、ネットワークノード１１０にサービス提供される第１セルに対するＵＥ１２０の接続確立を検出し得る。ステップ４０２において、接続が確立すると、ノード１１０はユーザー機器により実行されたアイドルモード無線測定の結果を受信する。この結果は、ユーザー機器が、第１セルのキャリアとアグリゲート可能とするようなキャリアについての、結果としての無線測定値を含む。最後に、ステップ４０４において。ノード１１０は、ユーザー機器に対するキャリアアグリゲーション設定のため、受信した結果を利用し得る。
【００３９】
図３、４の範囲で、一部の実施形態を検証する。図５Ａに示す一実施形態において、ＵＥ１２０は、アイドルモードで測定される複数のキャリア（例えばキャリア１０１から１０３）を特定する測定標示（例えば設定）を受信し得る。これらキャリアは、ＵＥが、第１セルのキャリアとアグリゲート可能なキャリア（すなわち、ＣＡキャリア／セル候補のセットに属するキャリア、ここではキャリア１０１、１０２）と、ＵＥが、第１セルのキャリアとアグリゲート不能なキャリア（すなわち、ＣＡキャリア／セル候補のセットに属さないキャリア、ここではキャリア１０３）とを含む。いくつかの実施形態において、サービングセル１００も、本明細書の図５Ａ、５Ｂ、５Ｃの例には示されないが、測定されるＣＡキャリア／セル候補のセットに含まれる。ＵＥの性能を把握していないネットワークは、セル１００、１０１、１０２、１０３のキャリアを測定することを示す測定設定をブロードキャストし得る。しかし、自身のＣＡ組合せ性能を判定／把握したＵＥが自律的に、ＵＥが第１セルのキャリアとアグリゲート不能であるキャリアを測定設定からフィルタリングにより除去して、測定対象のキャリアを決定し得る。すなわち、ＵＥは、ＣＡキャリア候補のセットに属さないキャリアをフィルタリングで除去し、それにより、アクセス中のサービングセル１００（例えば、早期測定報告が送信されるセルである、接続モードとなるＰＣｅｌｌ）と、ＵＥがアグリゲート可能なキャリアについてのみ、早期報告用の測定を実施し得る。セル１００のネットワーク（例えばｅＮＢ／ｇＮＢ１１０）が帯域１０１および１０２について（すなわち、ＣＡキャリア候補のセットについて）、ＵＥから測定値を受信すると、セル１００の制御ノード１１０は、これらのキャリアのみが特定のＵＥがセル１００とのＣＡに使用可能であることを把握する。
【００４０】
図５Ｂに示す一実施形態において、ＵＥは、アイドルモード無線測定を実行することを示す測定標示を受信し得る。標示は、セル／キャリア識別子を一切含まなくてもよい。標示は暗に、ＵＥにより検出されるあらゆるセルの測定を網羅し得る。ＲＳＲＰ（またはその他信号レベルインジケータ）が、事前に設定された閾値を超える場合に、セルが検出される。一実施形態において、測定標示は、ネットワークノード１１０がアイドルモード測定結果の早期報告に対応するという標示を含み得る。これに基づき、ＵＥはＵＥが早期報告用のアイドルモード測定を実行可能であることを認識し得る。特定のキャリア／セル識別子を受信することなく、アイドルモード無線測定を実行することが示されても、ＵＥは判定された性能に基づいてどのセルを測定するか、自律的に判定し得る。これにより、ユーザー機器が、第１セルのキャリアとアグリゲート可能なキャリアのみが測定される。ここで、本例示的実施形態において、当該キャリアはキャリア１０１および１０２である。ネットワーク（例えばｅＮＢ／ｇＮＢ１１０）が帯域１０１、および１０２について（すなわちＣＡキャリア候補のセットについて）ＵＥからの測定値を受信すると、セル１００の制御ノード１１０は、これらのキャリアのみが特定のＵＥがセル１００とのＣＡに使用可能であることを把握する。
【００４１】
実施形態において、図５Ａおよび／または５Ｂの例における自律的判定は、一般的ネットワーク設定および／またはＵＥ自身の、以下の少なくとも１つに関する性能に基づいて、測定対象キャリアを判定することを含む。すなわち、ＬＴＥおよび５Ｇに接続されたユーザー機器を参照にするＥＮ−ＤＣ、キャリアアグリゲーション（ＣＡ）、デュアルコネクティビティ（ＤＣ）である。例えば、ＵＥは、現在のサービングセル１００はＰＣｅｌｌである／となるという仮定の下、ＵＥに対する有効ＣＡ組合せの一部であるキャリアのみを測定し得る。別の例では、ＵＥは、現在のサービングセル１００はＳＣｅｌｌである／となるという仮定の下、ＵＥに対する有効ＣＡ組合せの一部であるキャリアのみを測定し得る。ＵＥは、例えば対象セル候補を報告し得る。この方法により、ＵＥは例えば、測定対象キャリアを判定し得、ネットワークがどのキャリアをＣＡ設定に直近で使用したかを示す情報を使用し得る。
【００４２】
実施形態において、ＵＥは例えば別のキャリア周波数上の、新たなサービングセルに応じて、測定対象キャリア周波数層を判定する。これは、ＵＥに対して、新たなサービングセルと、設定されたキャリアとの有効ＣＡ組合せは何かに応じて実行され得る。
【００４３】
実施形態において、図５Ａおよび／または５Ｂの例における自律的判定は、ブロードキャストされたキャリア情報（例えばセルのＳＩＢ）に基づいて、測定対象キャリアを判定することを含む。同情報は、システム帯域、ランダムアクセスパラメータ等の、（サービング）セルにアクセスするための情報等の、サービングセル１００候補の情報を含む。
【００４４】
実施形態において、図５Ａおよび／または５Ｂの例における自律的判定は、過去の所定の期間内に、ユーザー機器が使用した、少なくとも１つのキャリアアグリゲーション設定の情報を利用することを含む。言い換えると、ＵＥは、ネットワークが最後にＣＡ設定に利用したキャリアはどれかについての情報を考慮して、測定対象キャリアを判定し得る。実施形態において、ＵＥは、ＣＡ設定が使用されたセルの代わりに別のセルを再選択し、その別セルと接続を確立すると、この情報を破棄するように構成され得る。実施形態において、ＵＥはセルＡ、またはセルＡの隣接セルと接続を確立する限り、少なくとも１つのＣＡ設定の情報を適用し得る。このセルＡは、特定のＣＡ設定が使用されたセルである。
【００４５】
図５Ｃに示す一実施形態において、ＵＥはアイドルモードでの測定対象の複数のキャリア（例えば１０１から１０３）を特定する測定標示（例えば、設定）を受信し得る。この測定設定は、ＵＥが第１セルのキャリアとアグリゲート可能なキャリア（１０１、１０２）と、ＵＥが第１セルのキャリアとアグリゲート不能なキャリア（１０３）とを含み得る。ただし、図５Ａおよび５Ｂの実施形態とは異なり、ここではＵＥは受信した測定設定に応じて測定を行い、測定結果をサービングセル１００候補に報告し得る。ここで、有利には、ＵＥはこの結果に、ＵＥが所与の測定キャリア（１０１から１０３）を、第１セル（１００）のキャリアにアグリゲート可能であるかを示す標示を含め得る。このような「アグリゲート可否」標示は、ステップ３０２で判定されたＵＥ性能に基づき得る。
【００４６】
一実施形態において、ＵＥはアイドルモードでの無線測定する際の複数のセルを示す測定標示（例えば、設定）を受信し得る。この測定設定は、ＵＥが第１セル（１００）のキャリアとアグリゲート可能なキャリア（１０１、１０２）のみを含み得る。すなわち、ネットワークは、ネットワークがＵＥについて有効ＣＡ組合せに属すると把握している周波数層（キャリア）のみを設定し得る。したがって、例えば早期ＣＡ設定を可能にする目的で、ＵＥは示された測定設定に応じて測定し、接続設定段階では結果を報告し続けて、測定を継続する。この実施形態では、ネットワークノード１１０がＵＥのＣＡ性能を把握していると仮定され得る。
【００４７】
このようにして、ＵＥによるアイドルモード測定の早期測定報告にネットワークが対応することを示す標示（ブロードキャストされた標示等）がＵＥに設定され得る。あるいは、そのような早期測定報告に対応するセルＩＤがＵＥに事前設定され得る。標示／知識、および任意で専用またはブロードキャストされたキャリア周波数リスト（例えば、測定設定）に基づいて、ＵＥは、早期測定報告が送信されるセルと、有効ＣＡ組合せを形成するキャリアについてのみ、測定および報告測定を行い得る。キャリア周波数リストがＵＥに与えられていない場合、ＵＥは、自身のＣＡおよび測定性能に基づいて、測定および報告を行い得る。なお、測定性能（例えば、ＵＥによる所定の帯域の測定可否）は、ＵＥのＣＡでそれらをアグリゲートする性能と乖離し得る。
【００４８】
実施形態において、ＵＥはブロードキャストされたキャリア情報と、例えばＵＥのＣＡ性能に基づいてセルを測定し、可能であれば報告し得る。これにより、ＵＥに対して、有効ＣＡ組合せの一部であるセル（またはキャリア）のみが、測定および／または報告されるようにする。
【００４９】
通常、ＵＥは、現在のサービングセルとの組合せによりＣＡで対応不能なセルについても測定および報告可能である。これは、測定キャリア間で、測定の負荷が分散されるため、ＵＥが対応するその他キャリアの測定において不要な遅延およびオーバヘッドを生じる。さらに、ＵＥは通常、キャリアを余分に測定しない。任意の測定標示に基づいて、測定すべきもののみが測定されるだけである。測定結果によりｅＮＢが何をしようとしているのか、正確に把握できないため、通常のＵＥの動作は、ＮＷで示された全てのキャリアについて測定を行うこととなる。一方、本明細書に記載の提案によると、以下のことが確実に実現され得る。（１）ＵＥが過剰に多くのキャリアを測定しない。（２）ネットワークがＵＥの関連情報のみについての報告を信頼し、さらに多くの測定ＩＤをＵＥに示すことができる。例えば、ｅＮＢが、任意の単一のＵＥが必要とする、または使用可能な情報を超える量をブロードキャストすることがある。一例として、ｅＮＢは例えば５つのキャリアに対応し得る。しかし、所与のＵＥは、ＮＷが示した５キャリアそれぞれで、単一のキャリア動作に対応しながらも、ＣＡにおいて２つのキャリアのみに対応し得る。したがって、ＮＷはその全てのキャリアにブロードキャストしようとするかもしれないが、ＵＥは、ＣＡが不能であるものはフィルタリングで除外するのが有利となり得る。
【００５０】
ＵＥ側から提案を検証する。図６は、ＵＥがアイドルモード無線測定の実行および報告の両方を実施することを示す。しかし、ＵＥの性能によっては、実行される測定は変動し得る。図示のとおり、ＵＥ１およびＵＥ２は、異なる帯域組合せに対応する。したがって、ＵＥに同じ帯域（Ｂ１、Ｂ４、Ｂ７）についての測定設定がブロードキャストされてもＵＥは、ＣＡについて対応する帯域のみについて報告を行う。すなわち、ＵＥ１はＢ１およびＢ４のみ測定および報告を行い、ＵＥ２はＢ４およびＢ７のみ測定および報告を行う。図６において、ＰＣＩという用語は、物理セルＩＤを示し、図のＰＣＩは、対応する帯域上の（キャリア上の）セルＩＤがどれかを示し得る。ＵＥは、例えば、ＰＳＳとＳＳＳとに基づいて、任意の検出されたセルのＰＣＩを判定し得る。図６において、ＰＣＩ１および３を持つ帯域＃１は、ＰＣＩ１および３を持つセルが、同一の帯域上のキャリア上で動作することを意味する（例えば、これらは同一キャリア上でもあり得る）。
【００５１】
図７のシグナリングフローチャートに関して、提案のいくつかの態様を確認する。ステップ７００において、ＵＥはアイドルモード／状態にあるか、それに遷移する（すなわち、前のサービングセルとのＲＲＣ接続を切断する）。ステップ７０２において、ネットワークノード１１０は測定標示をＵＥにブロードキャストする。測定標示は例えば、上述した測定設定であり得る。あるいは、同じく上述したように、ネットワークノード１１０が早期測定報告に対応するという標示であり得る。ステップ７０４において、ＵＥは自律的に（すなわちネットワークノード１１０からの要求／指示なしで）、サービングセル候補（ＵＥが接続されていたものとは異なり得る）に関するＵＥ性能に基づいて、どのキャリアを測定するか判定する。この判定は、任意の受信した測定設定を調整することを含み得る。ステップ７０６において、ＵＥは測定を実行する。サービングセル（本例ではセル１００）へ接続されると、ステップ７０８において、ＵＥはアイドルモード測定の早期報告も行う。ステップ７１０において、受信した測定結果をキャリアアグリゲーション設定に利用する。すなわち、ノード１１０は、サービングセル１００とのキャリアアグリゲーション用にＵＥが対応するキャリアがどれかを判定し得る（例えば、この特定のＵＥ１２０に対する有効ＣＡ組合せにどの周波数帯が属するか）。その後、ノード１１０は、キャリアアグリゲーション用に少なくとも１つのＳＣｅｌｌを選択し得る。ＣＡの設定は、ステップ７１２において、ＣＡ用に選択されたＳＣｅｌｌとネゴシエートすることを含み得る。ステップ７１４において、ノード１１０は、ＵＥに対するＣＡのトリガを、ＵＥ１２０に通知し得る。この通知することは、ＣＡ用のＳＣｅｌｌがどのセルかを示すことを含み得る（サービングセル１００がＰＣｅｌｌであると仮定する）。別の実施形態では、ＳＣｅｌｌとＰＣｅｌｌの役割は逆であってもよい。
【００５２】
図８に示す実施形態は、少なくとも１つのプロセッサ等の制御回路体（ＣＴＲＬ）１２と、コンピュータプログラムコード（ＰＲＯＧ）を含む少なくとも１つのメモリ１４とを有する装置１０を提供する。少なくとも１つのメモリおよびコンピュータプログラムコード（ＰＲＯＧ）は、少なくとも１つのプロセッサにより、前記装置に、上述のプロセスのいずれか一つを遂行させるように構成されている。前記メモリは、半導体メモリデバイス、フラッシュメモリ、磁気メモリデバイスおよびシステム、光学メモリデバイスおよびシステム、固定メモリおよび取外し可能メモリ等の任意の好適なデータ記憶技術を用いて実装されてもよい。
【００５３】
実施形態において、装置１０は、ネットワーノード（５Ｇの場合ｇＮＢ／ｇＮＢ−ＣＵ／ｇＮＢ−ＤＵ、ＥＵＴＲＡＮの場合ｅＮＢ等）であるか、それに含まれ得る。実施形態において、装置１０は、ネットワークノード１１０であるか、それに含まれる。装置に、図４のステップ等の、上述の処理の一部の機能を実行させてもよい。
【００５４】
将来のネットワークでは、ネットワーク機能仮想化（Network Functions Virtualization：ＮＦＶ）が利用されることが理解されるべきである。これは、サービスを提供するために、動作的に接続またはリンクし得る「建物のブロック」またはエンティティに、ネットワークノードの機能を仮想化することを提案するネットワークアーキテクチャの概念である。仮想化されたネットワーク機能（Virtualized Network Function：ＶＮＦ）は、カスタマイズされたハードウェアの代わりに、標準的または汎用サーバーを用いてコンピュータプログラムコードを動作させる１つ以上の仮想マシンを備えてもよい。クラウドコンピューティングまたはデータストレージを利用してもよい。無線通信において、これは、ノードの動作が少なくとも部分的に、分散型ユニット（Distributed Unit：ＤＵ）（例えば無線ヘッド／ノード）に動作的に接続された中央／集中型ユニット（Central／Centralized unit：ＣＵ）（例えばサーバー、ホスト、またはノード）で実施されることを表す。さらに、ノードの動作を複数のサーバー、ノード、またはホスト間で分散することも可能である。コアネットワークの動作および基地局の動作間のタスクの分散は、実施内容に応じて変化し得ることも理解されるべきである。
【００５５】
実施形態において、サーバーは、無線ノードと通信する仮想ネットワークを生成してもよい。一般的に、仮想ネットワーキングには、ハードウェアとソフトウェアのネットワークリソースと、ネットワーク機能とを、１つのソフトウェア型の管理エンティティである仮想ネットワーク上に組み合わせるプロセスを伴ってもよい。このような仮想ネットワークにより、サーバーおよび無線ヘッド／ノード間の動作の柔軟な分散が可能となり得る。実施においては、任意のデジタル信号処理タスクがＣＵまたはＤＵのいずれで実施されてもよく、ＣＵおよびＤＵの間の分担が切り替わる境界は、実施内容に応じて選択されてもよい。
【００５６】
したがって、実施形態において、ＣＵ・ＤＵによるアーキテクチャが実装される。このような場合、装置１０は、分散ユニット（例えばリモート無線ヘッド／ノード）に（例えば、無線または有線ネットワークを介して）動作的に接続された中央ユニット（例えば、制御ユニット、エッジクラウドサーバー、サーバー）に含まれていてもよい。つまり、中央ユニット（例えば、エッジクラウドサーバー）および無線ノードは、無線経路または有線接続を介して互いに通信するスタンドアローンな装置であってもよい。あるいは、これらは、有線接続等を介して通信する同一のエンティティ内に設けられてもよい。エッジクラウドまたはエッジクラウドサーバーは、複数の無線ノードまたは無線アクセスネットワークに対応していてもよい。実施形態において、記載されたプロセスの少なくとも一部は、中央ユニットによって実施されてもよい。これに代わって別の実施形態では、装置１０は分散ユニットに設けられてもよく、記載されたプロセスの少なくとも一部は、分散ユニットによって実施されてもよい。
【００５７】
実施形態において、装置１０の少なくとも一部の機能の実行は、１つの動作体を形成する２つの物理的に個別のデバイス（ＤＵおよびＣＵ）間で分担されてもよい。したがって、この装置は、記載されたプロセスの少なくとも一部を実行するための１つ以上の物理的に個別のデバイス動作体を示すものと見られる。実施形態において、このようなＣＵ・ＤＵによるアーキテクチャは、ＣＵおよびＤＵ間の動作の柔軟な分担を可能にする。実施においては、任意のデジタル信号処理タスクがＣＵまたはＤＵのいずれで実施されてもよく、ＣＵおよびＤＵの間の分担が切り替わる境界は、実施内容に応じて選択されてもよい。実施形態において、装置１０は、装置の位置にかかわらず、また、プロセスや機能が実施されている場所にかかわらず、プロセスの実行を制御する。
【００５８】
装置は、１つ以上の通信プロトコルに応じて、通信接続性を実現するためのハードウェアおよび／またはソフトウェアを備える通信インターフェース（ＴＲＸ）１６をさらに備えてもよい。ＴＲＸは、装置に例えば、無線アクセスネットワークにアクセスするための通信性能を提供してもよい。装置は備えてもよい、例えば、キーパッド、マイクロフォン、タッチディスプレイ、ディスプレイ、スピーカのうちの少なくとも１つ等を備えるユーザーインターフェース１８をさらに。ユーザーインターフェースは、ユーザーによって装置を制御するために使用してもよい。
【００５９】
制御回路体１２は、実施形態のいずれかに係る、ＵＥに対するブロードキャストされた測定標示の内容等の測定標示の内容を決定するための測定制御回路体２０を備えてもよい。制御回路１２は、受信された早期測定報告に基づいてＵＥに対するキャリアアグリゲーションを設定するためのＣＡ設定回路体２２をさらに備えてもよい。
【００６０】
図９に示すような実施形態は、少なくとも１つのプロセッサ等の制御回路（ＣＴＲＬ）体５２と、コンピュータプログラムコード（ＰＲＯＧ）を含む少なくとも１つのメモリ５４と、を備える装置５０を提供する。前記少なくとも１つのメモリおよび前記コンピュータプログラムコード（ＰＲＯＧ）は、前記少なくとも１つのプロセッサによって、前記装置に、上述のプロセスのいずれか一つを遂行させるように構成されている。前記メモリは、半導体メモリデバイス、フラッシュメモリ、磁気メモリデバイスおよびシステム、光学メモリデバイスおよびシステム、固定メモリおよび取外し可能メモリ等の任意の好適なデータ記憶技術を用いて実装されてもよい。
【００６１】
実施形態において、装置５０は通信システムの端末デバイスを有し得る。端末デバイスの例としては、ユーザー端末（User Terminal：ＵＴ）、コンピュータ（ＰＣ）、ノートパソコン、タブレットコンピュータ、携帯電話、モバイルフォン、コミュニケータ、スマートフォン、パームコンピュータ、モバイル移動装置（車等）、家電製品、またはその他任意の通信装置が挙げられる。これは本明細書において共通してＵＥと称されるものである。あるいは、装置はそのような端末デバイスに含まれる。さらに、装置は、プラグインユニット、「ＵＳＢドングル」、または任意のその他種類のユニット等の、接続性を提供するモジュール（ＵＥに取り付けられる）であるか、それを含み得る。このユニットは、ＵＥ内部に設けられるか、コネクタにより、あるいは無線によりＵＥに取り付けられ得る。
【００６２】
装置は、１つ以上の通信プロトコルに応じて、通信接続性を実現するためのハードウェアおよび／またはソフトウェアを備える通信インターフェース（ＴＲＸ）５６をさらに備えてもよい。ＴＲＸは、装置に例えば、無線アクセスネットワークにアクセスするための通信性能を提供してもよい。装置は、例えば、キーパッド、マイクロフォン、タッチディスプレイ、ディスプレイ、スピーカのうちの少なくとも１つ等を備えるユーザーインターフェース５８をさらに備えてもよい。ユーザーインターフェースは、ユーザーによって装置を制御するために使用してもよい。
【００６３】
制御回路体５２は、実施形態のいずれかに係る、どのキャリア／セルを測定するか、自律的に判定するための測定制御回路体６０を備えてもよい。制御回路体５２はさらに、実施形態のいずれかに係る、測定を行い、測定結果の報告をさせる測定回路体６２を備えてもよい。
【００６４】
実施形態において、記載された実施形態の少なくとも一部を実施する装置は、少なくとも１つのプロセッサと、コンピュータプログラムコードを含む少なくとも１つのメモリと、を備え、前記コンピュータプログラムコードは、前記少なくとも１つのプロセッサに実行されると、前記装置に、記載された実施形態のいずれか一つに係る機能を遂行させるように構成されている。ある態様によると、前記少なくとも１つのプロセッサが前記コンピュータプログラムコードを実行すると、このコンピュータプログラムコードは前記装置に、記載された実施形態のいずれか一つに係る機能を遂行させる。別の実施形態によると、実施形態の少なくとも一部を実施する装置は、少なくとも１つのプロセッサと、コンピュータプログラムコードを含む少なくとも１つのメモリと、を備え、前記少なくとも１つのプロセッサおよび前記コンピュータプログラムコードは、記載された実施形態のいずれか一つに係る機能の少なくとも一部を実施する。したがって、前記少なくとも１つのプロセッサ、前記メモリ、および前記コンピュータプログラムコードは、記載された実施形態の一部を実施する処理手段を形成する。さらに別の実施形態によると、実施形態の少なくとも一部を実施する装置は、少なくとも１つのプロセッサと、コンピュータプログラムコードを備える少なくとも１つのメモリと、を備える回路体を備えている。有効化されると、前記回路体は前記装置に、記載された実施形態のいずれか一つに係る機能の少なくとも一部を遂行させる。
【００６５】
本明細書において、「回路体」という用語は、（ａ）アナログおよび／またはデジタル回路体のみにおける実装等のハードウェアのみからなる回路実装、（ｂ）回路とソフトウェア（および／またはファームウェア）との組合せ、例えば（それぞれ該当する場合）：（ｉ）プロセッサ（複数可）または（ｉｉ）協働して装置に各種機能を実行させるプロセッサ（複数可）の一部／デジタル信号プロセッサ（複数可）を含むソフトウェア、ソフトウェア、およびメモリ（複数可）の組合せ、（ｃ）動作にソフトウェアまたはファームウェアを必要とするマイクロプロセッサ（複数可）またはマイクロプロセッサ（複数可）の一部（当該ソフトウェアまたはファームウェアは物理的に存在しない場合も含む）等の回路の全てを指す。この「回路体」の定義は、本明細書に記載された全ての「回路」について当てはまる。さらに、本明細書において、「回路体」という用語は、単にプロセッサ（または複数のプロセッサ）あるいはプロセッサの一部とそれに付随するソフトウェアおよび／またはファームウェアを実装したものも包含する。「回路体」という用語は、例えば特定の要素に該当する場合、ベースバンド集積回路やアプリケーションプロセッサ集積回路（携帯電話用）、またはサーバー内で用いられる同様の集積回路、移動体ネットワークデバイス、あるいはその他のネットワークデバイスをも包含する。
【００６６】
ある実施例では、上述の処理の少なくとも一部が、上述の処理の少なくとも一部を実施するための対応する手段を含む装置によって実施されてもよい。上述の処理を実施するための手段の例としては、検出器、プロセッサ（デュアルコアプロセッサ、マルチコアプロセッサ等）、デジタル信号プロセッサ、コントローラ、受信機、送信機、エンコーダ、デコーダ、メモリ、ＲＡＭ、ＲＯＭ、ソフトウェア、ファームウェア、ディスプレイ、ユーザーインターフェース、ディスプレイ回路体、ユーザーインターフェース回路体、ユーザーインターフェースソフトウェア、ディスプレイソフトウェア、回路、アンテナ、アンテナ回路体、および回路体のうちの少なくとも１つが挙げられる。
【００６７】
本明細書に記載の技術や方法は、様々な手段によって実装されてもよい。例えば、これらの技術は、ハードウェア（１または複数のデバイス）、ファームウェア（１または複数のデバイス）、ソフトウェア（１または複数のモジュール）、またはこれらの組合せによって実装されてもよい。ハードウェア実装の場合、実施形態の装置（複数可）は、１または複数の特定用途向け集積回路（Application-Specific Integrated Circuit：ＡＳＩＣ）、デジタル信号プロセッサ（Digital Signal Processor：ＤＳＰ）、デジタル信号処理デバイス（Digital Signal Processing Device：ＤＳＰＤ）、プログラマブル論理デバイス（Programmable Logic Device：ＰＬＤ）、フィールドプログラマブルゲートアレイ（ＦＰＧＡ）、プロセッサ、コントローラ、マイクロコントローラ、マイクロプロセッサ、本明細書に記載の機能を実施するように設計されたその他の電子部、またはこれらの組合せにおいて実装されてもよい。ファームウェアまたはソフトウェアの場合、本明細書に記載の機能を実施する少なくとも１つのチップセットのモジュール（例えば、手順、機能等）を介して実装することができる。ソフトウェアのコードは、メモリ部に格納され、プロセッサによって実行されてもよい。このメモリ部は、プロセッサの内部または外部のいずれに実装されてもよい。プロセッサの外部に実装される場合、メモリ部は、従来公知である各種手段を介してプロセッサに通信可能に接続可能である。これに加えて、本明細書に記載のシステムの構成要素は、関連して記載された各種態様等の実現を容易にするために位置を変更したり、追加の構成要素で補完したりしてもよく、これらの構成要素は図示した厳密な構成に限定されないことは、当業者には自明であろう。
【００６８】
上述の実施形態は、コンピュータプログラムまたはその一部によって定義されたコンピュータ処理の形式で実施されてもよい。方法の実施形態は、対応する命令を含むコンピュータプログラムの少なくとも一部によって実施されてもよい。このコンピュータプログラムは、ソースコード、オブジェクトコード、またはその中間型のいずれの形式であってもよく、当該プログラムを搬送可能な任意のエンティティやデバイスであってもよい、ある種のキャリアに格納されてもよい。例えば、当該コンピュータプログラムは、コンピュータやプロセッサで可読のコンピュータプログラム配布媒体に格納されてもよい。このコンピュータプログラム媒体は、例えば、記録媒体、コンピュータメモリ、読取り専用メモリ、電気キャリア信号、電気通信信号、およびソフトウェア配布パッケージを含むが、これらに限定されるものではない。コンピュータプログラム媒体は非一時的媒体であってもよい。図示して説明した実施形態を実施するためのソフトウェアのコーディングは、当該分野の当業者の技術常識の範疇にある。
【００６９】
以下に本発明の一部の態様を列挙する。
【００７０】
第１の態様によると、方法が提供され、当該方法は、接続する第１セルを決定することと、前記第１セルのキャリアを含むキャリアアグリゲーションに関する、前記ユーザー機器の性能を判定することと、前記判定された性能に基づいて、前記ユーザー機器が前記第１セルの前記キャリアとアグリゲート可能なキャリアの、アイドルモード無線測定を実行することと、前記第１セルとの接続が確立されると、前記アイドルモード無線測定の結果を、前記第１セルのネットワークノードに報告することと、を含む。
【００７１】
第１の態様の各種実施形態は、以下に列挙する特徴のうちの少なくとも１つを含んでもよい。
・  前記第１セルの前記ネットワークノードが、前記接続確立時のアイドルモード無線測定報告に対応することを判定する。
・  前記アイドルモード無線測定の前記報告された結果により、前記第１セルの前記ネットワークノードが接続モード無線測定の実行を要求することなく、前記第１セルの前記ネットワークノードによる前記キャリアアグリゲーションをトリガする。
・  前記第１セルの前記ネットワークノードから、前記ユーザー機器に対して、キャリアアグリゲーションがトリガされることを示す標示の受信を生じさせる。前記キャリアアグリゲーションは、前記第１セルの前記キャリアを介して、さらに前記アイドルモード無線測定時に測定された前記キャリアの１つ以上を介して、データを受信することを含む。
・  アイドルモードにおいて測定される複数のキャリアを特定し、前記ユーザー機器が前記第１セルの前記キャリアとアグリゲート可能なキャリアと、前記ユーザー機器が前記第１セルの前記キャリアとアグリゲート不能なキャリアとを含む測定標示を受信させ、前記判定された性能に基づき、前記ユーザー機器が前記第１セルの前記キャリアとアグリゲート不能なキャリアを測定設定からフィルタリングにより除去することで、前記測定するキャリアを自律的に判定する。
・  アイドルモードにおいて測定される複数のキャリアを特定し、前記ユーザー機器が前記第１セルの前記キャリアとアグリゲート可能なキャリアと、前記ユーザー機器が前記第１セルの前記キャリアとアグリゲート不能なキャリアとを含む測定標示を受信させ、前記判定された性能に基づき、前記ユーザー機器が前記第１セルの前記キャリアとアグリゲート不能なキャリアを測定設定からフィルタリングにより除去することで、前記測定するキャリアを自律的に判定する。
・  アイドルモード無線測定を実行することを示す測定標示を受信させ、前記ユーザー機器が前記第１セルの前記キャリアとアグリゲート可能なキャリアのみが測定されるように、前記判定された性能に基づいて、測定される前記セルを自律的に判定する。
・  前記自律的に判定することは、前記ユーザー機器が過去の所定期間内に利用した少なくとも１つのキャリアアグリゲーション設定の情報を利用することを含む。
・  アイドルモードにおいて測定される複数のキャリアを特定し、前記ユーザー機器が前記第１セルの前記キャリアとアグリゲート可能なキャリアと、前記ユーザー機器が前記第１セルの前記キャリアとアグリゲート不能なキャリアとを含む測定標示を受信させ、受信した測定設定に応じて、前記測定を実行し、前記ユーザー機器が、所定の測定されたキャリアを、前記第１セルの前記キャリアとアグリゲート可能であるか否かを示す標示を、前記アイドルモード無線測定の前記結果に含める。
・  前記測定標示は、システム情報ブロック内で受信される。
・  前記判定された性能に基づいて、前記ユーザー機器が前記第１セルの前記キャリアとアグリゲート可能なキャリアは、マクロセル以外のセルに関連付けられることが求められる。
【００７２】
第２の態様によると、方法が提供され、当該方法は、ネットワークノードによりサービス提供される第１セルへの、ユーザー機器の接続確立を検出することと、前記接続が確立すると、前記ユーザー機器により実行されたアイドルモード無線測定の結果であって、前記ユーザー機器が前記第１セルのキャリアとアグリゲート可能なキャリアについての無線測定の結果を含む結果を受信させることと、前記ユーザー機器に対するキャリアアグリゲーション設定に、前記受信した結果を利用することと、を含む。
【００７３】
第２の態様の各種実施形態は、以下に列挙する特徴のうちの少なくとも１つを含んでもよい。
・  ブロードキャストされた測定標示内で前記測定されるキャリアを特定することなく、前記ネットワークノードが前記接続確立時のアイドルモード無線測定の結果の受信に対応することを示す測定標示をブロードキャストさせる。
・  前記アイドルモードで測定される複数のキャリアを特定する測定標示をブロードキャストさせることをさらに含み、前記測定標示は、前記ユーザー機器が前記第１セルの前記キャリアとアグリゲート可能なキャリアと、前記ユーザー機器が前記第１セルの前記キャリアとアグリゲート不能なキャリアとを含む。
【００７４】
第３の態様によると、少なくとも１つのプロセッサと、コンピュータプログラムコードを含む少なくとも１つのメモリと、を備える装置が提供され、前記コンピュータプログラムコードは、前記少なくとも１つのプロセッサに実行されると、ユーザー機器に、接続する第１セルを決定することと、前記第１セルのキャリアを含むキャリアアグリゲーションに関する、前記ユーザー機器の性能を判定することと、前記判定された性能に基づいて、前記ユーザー機器が前記第１セルの前記キャリアとアグリゲート可能なキャリアの、アイドルモード無線測定を実行することと、前記第１セルとの接続が確立されると、前記アイドルモード無線測定の結果を、前記第１セルのネットワークノードに報告することと、を遂行させるように構成されている。
【００７５】
第３の態様の各種実施形態は、第１の態様に関して列挙された特徴のうちの少なくとも１つを含んでもよい。
【００７６】
第４の態様によると、少なくとも１つのプロセッサと、コンピュータプログラムコードを含む少なくとも１つのメモリと、を備える装置が提供され、前記コンピュータプログラムコードは、前記少なくとも１つのプロセッサに実行されると、ネットワークノードに、ネットワークノードによりサービス提供される第１セルへの、ユーザー機器の接続確立を検出することと、前記接続が確立すると、前記ユーザー機器により実行されたアイドルモード無線測定の結果であって、前記ユーザー機器が前記第１セルのキャリアとアグリゲート可能なキャリアについての無線測定の結果を含む結果を受信することと、前記ユーザー機器に対するキャリアアグリゲーション設定に、前記受信した結果を利用することと、を遂行させるように構成されている。
【００７７】
第４の態様の各種実施形態は、第２の態様に関して列挙された特徴のうちの少なくとも１つを含んでもよい。
【００７８】
第５の態様によると、コンピュータによって読取り可能な配布媒体上で実施され、装置に展開されると、第１または第２の態様に係る方法を実行するプログラム命令を含む、コンピュータプログラム製品が提供される。
【００７９】
第６の態様によると、装置に展開されると、第１または第２の態様に係る方法を実行するプログラム命令を実行するプログラム命令を含む、コンピュータプログラム製品が提供される。
【００８０】
第７の態様によると、第１または第２の態様に係る方法を実施する手段を備える装置が提供される。
【００８１】
第８の態様によると、１つ以上のプロセッサと、少なくとも１つのデータ記憶部と、第１または第２の態様に係るプロセスを実行するために前記少なくとも１つのデータ記憶部と連携して前記１つ以上のプロセッサによって実行される１つ以上のコンピュータプログラム命令と、を備えるコンピュータシステムが提供される。
【００８２】
図面を参照した例に沿って本発明を説明したが、本発明は上述の説明に限定されるものではなく、請求項の範囲内で各種変形可能であることは明らかである。したがって、全ての語句は広く解釈すべきであり、実施形態を限定ではなく例示するものと解釈される。技術の進展に伴い、本発明の概念が各種方法で実装され得ることは、当業者には自明であろう。さらに、上述の実施形態は、必須ではないが、他の実施形態と各種方法で組み合わせてもよいことも当業者には自明であろう。
【図１Ａ】
2021517789.tif 000003
【図１Ｂ】
2021517789.tif 000004
【図２】
2021517789.tif 000005
【図３】
2021517789.tif 000006
【図４】
2021517789.tif 000007
【図５】
2021517789.tif 000008
【図６】
2021517789.tif 000009
【図７】
2021517789.tif 000010
【図８】
2021517789.tif 000011
【図９】
2021517789.tif 000012
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
ユーザー機器の動作方法であって、
接続する第１セルを決定することと、
前記第１セルのキャリアを含むキャリアアグリゲーションに関する、前記ユーザー機器の性能を判定することと、
前記判定された性能に基づいて、前記ユーザー機器が前記第１セルの前記キャリアとアグリゲート可能なキャリアの、アイドルモード無線測定を実行することと、
前記第１セルとの接続が確立されると、前記アイドルモード無線測定の結果を、前記第１セルのネットワークノードに報告することと、
を含む方法。
【請求項２】
前記第１セルの前記ネットワークノードが、前記接続確立時のアイドルモード無線測定報告に対応することを判定することをさらに含む、請求項１に記載の方法。
【請求項３】
前記アイドルモード無線測定の前記報告された結果により、前記第１セルの前記ネットワークノードが接続モード無線測定の実行を要求することなく、前記第１セルの前記ネットワークノードによる前記キャリアアグリゲーションをトリガする、請求項１または２に記載の方法。
【請求項４】
前記第１セルの前記ネットワークノードから、前記ユーザー機器に対して、キャリアアグリゲーションがトリガされることを示す標示の受信を生じさせることをさらに含み、
前記キャリアアグリゲーションは、前記第１セルの前記キャリアを介して、さらに前記アイドルモード無線測定時に測定された前記キャリアの１つ以上を介して、データを受信することを含む、
請求項１から３のいずれかに記載の方法。
【請求項５】
アイドルモードにおいて測定される複数のキャリアを特定し、前記ユーザー機器が前記第１セルの前記キャリアとアグリゲート可能なキャリアと、前記ユーザー機器が前記第１セルの前記キャリアとアグリゲート不能なキャリアとを含む測定標示を受信させることと、
前記判定された性能に基づき、前記ユーザー機器が前記第１セルの前記キャリアとアグリゲート不能なキャリアを測定設定からフィルタリングにより除去することで、前記測定するキャリアを自律的に判定することと、
をさらに含む、請求項１から４のいずれかに記載の方法。
【請求項６】
アイドルモード無線測定を実行することを示す測定標示を受信させることと、
前記ユーザー機器が前記第１セルの前記キャリアとアグリゲート可能なキャリアのみが測定されるように、前記判定された性能に基づいて、測定される前記セルを自律的に判定することと、
をさらに含む、請求項１から４のいずれかに記載の方法。
【請求項７】
前記自律的に判定することは、前記ユーザー機器が過去の所定期間内に利用した少なくとも１つのキャリアアグリゲーション設定の情報を利用することを含む、請求項５または６に記載の方法。
【請求項８】
アイドルモードにおいて測定される複数のキャリアを特定し、前記ユーザー機器が前記第１セルの前記キャリアとアグリゲート可能なキャリアと、前記ユーザー機器が前記第１セルの前記キャリアとアグリゲート不能なキャリアとを含む測定標示を受信させることと、
受信した測定設定に応じて、前記測定を実行することと、
前記ユーザー機器が、所定の測定されたキャリアを、前記第１セルの前記キャリアとアグリゲート可能であるか否かを示す標示を、前記アイドルモード無線測定の前記結果に含めることと、
をさらに含む、請求項１から４のいずれかに記載の方法。
【請求項９】
前記測定標示は、システム情報ブロック内で受信される、請求項１から８のいずれかに記載の方法。
【請求項１０】
前記判定された性能に基づいて、前記ユーザー機器が前記第１セルの前記キャリアとアグリゲート可能なキャリアは、マクロセル以外のセルに関連付けられることが求められる、請求項１から９のいずれかに記載の方法。
【請求項１１】
ネットワークノードの動作方法であって、
前記ネットワークノードによりサービス提供される第１セルへの、ユーザー機器の接続確立を検出することと、
前記接続が確立すると、前記ユーザー機器により実行されたアイドルモード無線測定の結果であって、前記ユーザー機器が前記第１セルのキャリアとアグリゲート可能なキャリアについての無線測定の結果を含む結果を受信させることと、
前記ユーザー機器に対するキャリアアグリゲーション設定に、前記受信した結果を利用することと、
を含む方法。
【請求項１２】
ブロードキャストされた測定標示内で前記測定されるキャリアを特定することなく、前記ネットワークノードが前記接続確立時のアイドルモード無線測定の結果の受信に対応することを示す測定標示をブロードキャストさせることをさらに含む、請求項１１に記載の方法。
【請求項１３】
前記アイドルモードで測定される複数のキャリアを特定する測定標示をブロードキャストさせることをさらに含み、
前記測定標示は、前記ユーザー機器が前記第１セルの前記キャリアとアグリゲート可能なキャリアと、前記ユーザー機器が前記第１セルの前記キャリアとアグリゲート不能なキャリアとを含む、
請求項１１に記載の方法。
【請求項１４】
処理手段及び記憶手段を備える装置であって、前記記憶手段はプログラム命令を格納し、前記プログラム命令は、前記処理手段に実行されると、前記装置に、請求項１から１０のいずれかに記載の方法を遂行させるように構成される、装置。
【請求項１５】
処理手段及び記憶手段を備える装置であって、前記記憶手段はプログラム命令を格納し、前記プログラム命令は、前記処理手段に実行されると、前記装置に、請求項１１から１３のいずれかに記載の方法を遂行させるように構成される、装置。
【請求項１６】
装置であって、
接続する第１セルを決定する手段と、
前記第１セルのキャリアを含むキャリアアグリゲーションに関する、前記装置の性能を判定する手段と、
前記判定した性能に基づいて、前記装置が前記第１セルの前記キャリアとアグリゲート可能なキャリアの、アイドルモード無線測定を実行する手段と、
前記第１セルとの接続が確立されると、前記アイドルモード無線測定の結果を、前記第１セルのネットワークノードに報告する手段と、
を備える、装置。
【請求項１７】
自身がサービスを提供する第１セルへの、ユーザー機器の接続確立を検出する手段と、
前記接続が確立すると、前記ユーザー機器により実行されたアイドルモード無線測定の結果であって、前記ユーザー機器が前記第１セルのキャリアとアグリゲート可能なキャリアについての無線測定の結果を含む結果を受信する手段と、
前記ユーザー機器に対するキャリアアグリゲーション設定に、前記受信した結果を利用する手段と、
を備える、装置。
【請求項１８】
ユーザー機器であって、ロングタームエボリューション、ロングタームエボリューションアドバンスト、ＮＲ、または５Ｇに従って動作する、請求項１４又は１６に記載の装置。
【請求項１９】
装置のプロセッサに実行されると、前記装置に、請求項１から１０または１１から１３のいずれかに記載の方法を実行するプログラム命令を備える、コンピュータプログラム。
【国際調査報告】
2021517789.tif 000013
2021517789.tif 000014
2021517789.tif 000015